(57)【要約】【課題】フェース側から凹陥する凹部を有したヘッド本体と、該ヘッド本体に固着されたフェースプレートとを有する。アイアン型ゴルフクラブヘッドにおいて、フェースプレートの位置合わせを容易とすると共に、フェースプレートのヒール側とヘッド本体との連結強度を高くする。【解決手段】ゴルフクラブヘッド１は、フェース側から凹陥する凹部１１を有したヘッド本体１０と、このヘッド本体１０に固着されたフェースプレート２０とを有する。フェースプレート２０は、凹段部２１をヘッド本体１０の凸段部１６ａに係合させるように、かつフェースプレート２０の上縁部、下縁部及びトウ側縁部がヘッド本体の縁部１３，１４，１５に当接するようにヘッド本体１０に装着され、全周にわたってレーザー溶接されて固着される。【選択図】図６
2010005281.tif 000002
【特許請求の範囲】
【請求項１】
フェース側から凹陥する凹部を有したヘッド本体と、該ヘッド本体に固着されたフェースプレートとを有し、該フェースプレートの上縁部、下縁部及びトウ側縁部の背面が該ヘッド本体の周縁部前面に固着されているアイアン型ゴルフクラブヘッドにおいて、
該フェースプレートのヒール側縁部の背面側には凹段部が設けられており、
該凹段部は、該ヘッド本体の凹部に臨むヒール側の端縁に設けられた凸段部に係合して固着されていることを特徴とするゴルフクラブヘッド。
【請求項２】
請求項１において、前記凹段部及び凸段部は、フェース部の上端から下端まで延在していることを特徴とするゴルフクラブヘッド。
【請求項３】
請求項１又は２において、前記ヘッド本体の上縁部、下縁部及びトウ側縁部の前面の幅Ｗが１〜４ｍｍであることを特徴とするゴルフクラブヘッド。
【請求項４】
請求項１ないし３のいずれか１項において、前記ヘッド本体の前記凹部よりもヒール側には、該凹部に連通した空洞部が設けられていることを特徴とするゴルフクラブヘッド。
【発明の詳細な説明】
【技術分野】
【０００１】
本発明は、アイアン型ゴルフクラブヘッドに係り、特に中空タイプのアイアン型ゴルフクラブヘッドに関するものである。
【背景技術】
【０００２】
アイアン型ゴルフクラブヘッドは、周知の通り、平面状のフェース面を有したフェース部と、該フェース部のヒール側に連なるホゼル部とを有し、該ホゼル部にはシャフト挿入穴が設けられている。このシャフト挿入穴にシャフトが挿入され、接着剤によって固着される。
【０００３】
アイアン型ゴルフクラブヘッドの中空タイプのものとして、特開２００４−１０５５２１には、フェース側から凹陥する凹部を有したヘッド本体と、該ヘッド本体に固着されたフェースプレートとを有し、該フェースプレートの上縁部、下縁部及びトウ側縁部の背面が該ヘッド本体の周縁部の前面に固着されているアイアンヘッドが記載されている。
【特許文献１】特開２００４−１０５５２１
【発明の開示】
【発明が解決しようとする課題】
【０００４】
上記特開２００４−１０５５２１のアイアンヘッドにあっては、フェースプレートのヒール側縁部はヘッド本体に対し重なっていない。この従来例では、フェースプレートのヒール側の端面と、ヘッド本体の凹部に臨む端面とは、いずれも飛球線方向の面となっている。そして、これらの端面が突き付けられ、レーザー溶接されている。この従来例ではこのようにフェースプレートのヒール側縁部をヘッド本体によって背面側から受けない構成とすることにより、フェースプレートのヒール側でボールを打ったときに該フェースプレートのヒール側を撓み易くしている。
【０００５】
しかしながら、このようにフェースプレートのヒール側の端面とヘッド本体のヒール側の端面とを突き付けるだけでは、フェースプレートをフェースプレートに対し位置合わせしにくい。また、フェースプレートのヒール側とヘッド本体との連結強度が不足するおそれもある。
【０００６】
本発明は、上記従来の問題点を解消し、フェース側から凹陥する凹部を有したヘッド本体と、該ヘッド本体に固着されたフェースプレートとを有し、該フェースプレートの上縁部、下縁部及びトウ側縁部の背面が該ヘッド本体の周縁部前面に固着されているアイアン型ゴルフクラブヘッドにおいて、フェースプレートの位置合わせを容易とすると共に、フェースプレートのヒール側とヘッド本体との連結強度を高くすることを目的とする。
【課題を解決するための手段】
【０００７】
請求項１のゴルフクラブヘッドは、フェース側から凹陥する凹部を有したヘッド本体と、該ヘッド本体に固着されたフェースプレートとを有し、該フェースプレートの上縁部、下縁部及びトウ側縁部の背面が該ヘッド本体の周縁部前面に固着されているアイアン型ゴルフクラブヘッドにおいて、該フェースプレートのヒール側縁部の背面側には凹段部が設けられており、該凹段部は、該ヘッド本体の凹部に臨むヒール側の端縁に設けられた凸段部に係合して固着されていることを特徴とするものである。
【０００８】
請求項２のゴルフクラブヘッドは、請求項１において、前記凹段部及び凸段部は、フェース部の上端から下端まで延在していることを特徴とするものである。
【０００９】
請求項３のゴルフクラブヘッドは、請求項１又は２において、前記ヘッド本体の上縁部、下縁部及びトウ側縁部の前面の幅Ｗが１〜４ｍｍであることを特徴とするものである。
【００１０】
請求項４のゴルフクラブヘッドは、請求項１ないし３のいずれか１項において、前記ヘッド本体の前記凹部よりもヒール側には、該凹部に連通した空洞部が設けられていることを特徴とするものである。
【発明の効果】
【００１１】
本発明のアイアン型ゴルフクラブヘッドにあっては、フェースプレートのヒール側縁部の背面側の凹段部がヘッド本体の凸段部に係合して固着されているので、フェースプレートの位置合わせが容易であると共に、フェースプレートのヒール側とヘッド本体との連結強度が高い。
【００１２】
なお、この凹段部及び凸段部をフェース部の上端から下端にまで延在させることにより、フェースプレートのヒール側とヘッド本体との連結強度が高いものとなる。
【００１３】
ヘッド本体の上縁部、下縁部及びトウ側縁部の前面の幅Ｗを１〜４ｍｍとすることにより、これらの部分におけるフェースプレートとヘッド本体との連結強度が高いものとなる。
【００１４】
ヘッド本体の凹部よりもヒール側に空洞部を設けることにより、その分だけヘッド本体の重量を少なくすることができる。また、これにより設計の自由度が高くなり、例えばこの空洞部の重量削減分だけソール側やバック側の重量を多くし、ゴルフクラブヘッドの重量を増加させることなく、スイートエリアを大きくしたり、重心を低くしたり重心深度を深くしたりすることもできる。また、フェース面が撓み易くなり、特にロングアイアンの場合、ボールの初速度が増大する。
【発明を実施するための最良の形態】
【００１５】
以下、図面を参照して実施の形態について説明する。第１図は実施の形態に係るアイアン型ゴルフクラブヘッドの正面図、第２図はこのアイアン型ゴルフクラブヘッドの斜視図、第３図及び第４図は第１図のIII−III線及びIV−IV線に沿う断面図、第５図はヘッド本体の正面図、第６図（ａ）はゴルフクラブヘッドの分解斜視図、第６図（ｂ）は同（ａ）のＢ−Ｂ線断面図である。
【００１６】
このアイアン型ゴルフクラブヘッド１は、フェース側から凹陥する凹部１１を有したヘッド本体１０と、このヘッド本体１０に固着されたフェースプレート２０とを有する。フェースプレート２０の前面にはスコアライン（溝）が設けられている。
【００１７】
ヘッド本体１０のヒール側にはホゼル部１２が設けられている。
【００１８】
第６図の通り、ヘッド本体１０のフェース部の上縁部（トップ側）１３、下縁部（ソール側）１４及びトウ側縁部１５は、ヘッド本体１０のヒール側の前面部１６よりもフェースプレート２０の厚み分だけ後退している。これらの縁部１３，１４，１５の幅Ｗは、好ましくは１〜４ｍｍ特に２〜３ｍｍ程度とされる。
【００１９】
ヘッド本体１０のヒール側の前面部１６の裏側は、凹部１１に連なる空洞部１１ａとなっている。
【００２０】
この前面部１６の凹部１１に臨む端縁には凸段部１６ａが設けられている。この凸段部１６ａは、フェース部の上端から下端まで連続して延在している。
【００２１】
ヘッド本体１０の背面側にあっては、下半側が後方へ膨出する膨出部１７（第４図）となっている。膨出部１７では、背面側の上半側より、厚くして、低重心かつ重心を深く設計している。重心を深くすると、ロフト角の関係から、フェース上の重心位置が高くなるため、背面側の下半側を上半側より厚くして、重心が高くならないようにしている。特にロフト角が２４°以下のロングアイアンのヘッドにこの様な低重心の設計は好ましい。下側を膨出することで、ソール部の幅を広くすることで、重心を低く設計できる。ヘッド本体１０のソール面にあっては、後部側が前部側よりも厚肉の厚肉部１８となっている。ヘッド本体の上縁部１３よりも下縁部１４を厚くし、ヘッドの低重心化を図るようにしてある。
【００２２】
フェースプレート２０は、凹部１１に覆い被さる大きさを有している。フェースプレート２０のヒール側縁部の背面側には凹段部２１が設けられている。この凹段部２１はフェースプレート２０のヒール側の端縁及び背面の交差角部から凹む段部である。この凹段部２１は、フェースプレート２０のヒール側の上端から下端まで連続して延在している。凹段部２１と凸段部１６ａとは同一寸法とされている。
【００２３】
第６図（ｂ）に示す凹段部２１の高さＨは０．６〜１．２ｍｍ特に０．８〜１．０ｍｍ程度が好ましい。凹段部２１の張出長さＬは０．５〜１．４ｍｍ特に０．８〜１．０ｍｍ程度が好ましい。
【００２４】
このフェースプレート２０は、その凹段部２１をヘッド本体１０の凸段部１６ａに係合させるように、かつフェースプレート２０の上縁部、下縁部及びトウ側縁部がヘッド本体の縁部１３，１４，１５に当接するようにヘッド本体１０に装着され、全周にわたってレーザー溶接されて固着される。このアイアン型ゴルフクラブヘッド１にあっては、フェースプレート２０の前面と前面部１６との接続部分は面一状に連続する。
【００２５】
このように構成されたアイアン型ゴルフクラブヘッド１にあっては、フェースプレート２０のヒール側縁部の凹段部２１がヘッド本体１０の凸段部１６ａに係合して溶接されているので、フェースプレート２０の位置合わせが容易であると共にフェースプレート２０のヒール側とヘッド本体１０との連結強度が高い。
【００２６】
なお、この凹段部２１及び凸段部１６ａをフェース部の上端から下端にまで延在させているので、フェースプレート２０のヒール側とヘッド本体１０との連結強度が高いものとなる。
【００２７】
また、ヘッド本体１０の上縁部、下縁部及びトウ側縁部の前面の幅Ｗを１〜４ｍｍ特に２〜３ｍｍとしているので、これらの部分におけるフェースプレート２０とヘッド本体１０との連結強度が高い。
【００２８】
この実施の形態では、ヘッド本体１０は前面部１６の裏側に空洞部１１ａを設けているので、その分だけヘッド本体１０の重量を少なくし、この空洞部の重量削減分だけソール側やバック側の重量を多くし、ゴルフクラブヘッドの重量を増加させることなく、スイートエリアを大きくしたり、低重心としたり、重心深度を深くすることができる。また、フェース面が撓み易くなり、特にロングアイアンの場合、ボールの初速度が増大する。
【００２９】
［別の実施の形態］
本発明では、フェースプレートは凹段部２１を除いて一様な厚さであってもよいが、スイートエリア付近のみ厚みを大きくしてもよい。
【００３０】
第７図（ａ）はかかるフェースプレート２０Ａの正面図、同（ｂ）は背面図、同（ｃ）は同（ｂ）のＣ−Ｃ線に沿う断面図である。このフェースプレート２０Ａでは、スイートエリアにおいてスイートエリア中心部に向って徐々に厚みが大きくなる厚み漸増ゾーン２０ａと、スイートエリア中心付近における均一厚みの最大厚みゾーン２０ｂとが設けられている。フェースプレート２０Ａの一般部の厚みｔ１は１．８〜２．４ｍｍ特に１．８〜２．０ｍｍ程度が好ましい。最大厚みゾーン２０ｂの厚みｔ２は、２．２〜２．８ｍｍ特に２．３〜２．５ｍｍ程度が望ましい。
【００３１】
本発明では、第８図のヘッド本体１０Ａのように、タングステン合金等の高比重金属よりなるウェイト部１９をトウ側及びヒール側に設け、スイートエリアをトウ・ヒール方向に拡大させるようにしてもよい。
【００３２】
なお、第８図（ａ）はヘッド本体１０Ａの正面図、同（ｂ）は斜視図である。ヘッド本体１０Ａのその他の構成はヘッド本体１０と同様であり、同一部分に同一符号が付されている。
【実施例】
【００３３】
３番アイアン（ロフト角２１°）用のヘッド本体１０を表１のＳＵＳ６３０にて構成した。縁部１３，１４，１５の幅Ｗや、各部分の厚みを第４図の通りとした。前面部１６の端縁に切削加工を施して凸段部１６ａを形成した。
【００３４】
【表１】
2010005281.tif 000003
【００３５】
フェースプレートには、ＳＵＳ４１５の圧延板材を切り出したものを用いた。彫刻機にてスコアライン（溝）を形成した。切削加工により凹段部２１を形成した。凹段部２１と凸段部１６ａとは同一寸法である。凹段部２１の寸法はＨ＝１ｍｍ、Ｌ＝１ｍｍとした。
【００３６】
フェースプレートとしては、第７図に示す構成のものを用いた。ｔ１＝２ｍｍであり（ｔ２−ｔ１）＝０．５ｍｍである。フェース面に強度の高い材料を用いることで、フェース面を薄くできる様に設計できるため、このフェースプレートとしては、表２の組成を有したＣＵＳＴＯＭ４５５（登録商標）よりなるものを用いた。なお、これらの材料の特性を表３に示した。
【００３７】
【表２】
2010005281.tif 000004
【００３８】
【表３】
2010005281.tif 000005
【００３９】
フェースプレートとヘッド本体とをレーザー溶接することにより、フェースプレートとヘッド本体との連結強度が高く、反発性能も良好なアイアン型ゴルフクラブヘッドが得られた。
【図面の簡単な説明】
【００４０】
【図１】実施の形態に係るアイアン型ゴルフクラブヘッドの正面図である。
【図２】実施の形態に係るアイアン型ゴルフクラブヘッドの斜視図である。
【図３】図１のIII−III線に沿う断面図である。
【図４】図１のIV−IV線に沿う断面図である。
【図５】ヘッド本体の正面図である。
【図６】ヘッド本体の分解斜視図と一部断面図である。
【図７】別の実施の形態に用いられるフェースプレートの説明図である。
【図８】異なる実施の形態に用いられるヘッド本体の説明図である。
【符号の説明】
【００４１】
１  ゴルフクラブヘッド
１０，１０Ａ  ヘッド本体
１１  空洞部
１１ａ  ヒール側の空洞部
１３  上縁部
１４  下縁部
１５  トウ側縁部
１６  ヒール側の前面部
１６ａ  凸段部
２０，２０Ａ  フェースプレート
２１  凹段部
【図１】
2010005281.tif 000006
【図２】
2010005281.tif 000007
【図３】
2010005281.tif 000008
【図４】
2010005281.tif 000009
【図５】
2010005281.tif 000010
【図６】
2010005281.tif 000011
【図７】
2010005281.tif 000012
【図８】
2010005281.tif 000013